(57)【要約】【課題】  ハウジングに組み付けたＦＰＣを上下のいずれの方向に引き回しても、接触不良が生じにくいコネクタを提供すること。【解決手段】  折れ曲がらないように補強シート７１で補強され、かつ、ハウジング２０内に挿入したフレキシブルプリント基板７０の先端部７２を、前記ハウジング２０内に保持した接触子３０の受動接点３４ａと第１能動接点３３ａとで挟持し、前記フレキシブルプリント基板７０の先端部７２に設けた接続パッドを前記接触子３０に電気接続する中継用コネクタである。特に、前記フレキシブルプリント基板７０の先端部７２を挿入するハウジング２０の開口部の上下段部２７，２８のうち、前記第１能動接点３３ａに対応する下段部２８を、前記受動接点３４ａに対応する上段部２７よりも外方に迫り出すように突設した。【選択図】図２
2006210051.tif 000002
【特許請求の範囲】
【請求項１】
折れ曲がらないように補強シートで補強され、かつ、ハウジング内に挿入したフレキシブルプリント基板の一端部を、前記ハウジング内に保持した接触子の受動接点と能動接点とで挟持し、前記フレキシブルプリント基板の一端部に設けた接続パッドを前記接触子に電気接続するコネクタであって、
前記フレキシブルプリント基板の一端部を挿入するハウジングの開口部の上下縁部のうち、前記能動接点に対応する縁部を、前記受動接点に対応する縁部よりも外方に迫り出すように突設したことを特徴とするコネクタ。
【請求項２】
ハウジング内の受動接点を上方側に配置するとともに、能動接点を前記受動接点に対向するように下方側に配置する一方、ハウジングの開口部の下方縁部を、上方縁部よりも外方に迫り出すように突設したことを特徴とする請求項１に記載のコネクタ。
【請求項３】
ハウジング内の受動接点を下方側に配置するとともに、能動接点を前記受動接点に対向するように上方側に配置する一方、ハウジングの開口部の上方縁部を、下方縁部よりも外方に迫り出すように突設したことを特徴とする請求項１に記載のコネクタ。
【発明の詳細な説明】
【技術分野】
【０００１】
本発明はコネクタ、特に、２枚のフレキシブルプリント基板（以下、「ＦＰＣ」という）を相互に接続するため、ゼロインサーションフォース（ＺＩＦ）構造を備えた中継用コネクタあるいはバックロック式コネクタに関する。
【背景技術】
【０００２】
従来、ＦＰＣのためのＺＩＦ構造を備えた中継用コネクタとしては、例えば、ハウジング９に第一，第二のフレキシブル基板３，４を挿入して位置決めした後、スライドカバー２５をスライドさせることにより、前記フレキシブル基板３，４をコンタクト１１の両端部１７，１９に所定の接触圧でそれぞれ弾性接触させ、前記第一，第二のフレキシブル基板３，４を相互に電気接続するものがある（特許文献１参照）。
また、ＦＰＣのためのＺＩＦ構造を備えたバックロック式コネクタとしては、ハウジング２０に組み込んだ略Ｈ字形状の接触子１０のうち、回転ビーム１１をレバー３０で回動し、接触ビーム１２の接触部１６をＦＰＣ４０に接触させて電気接続するものがある（特許文献２参照）。
【特許文献１】特開平９−１９９２４１号公報
【特許文献２】特開平１０−２０８８１０号公報
【発明の開示】
【発明が解決しようとする課題】
【０００３】
しかしながら、前記中継用コネクタにおいては、通常、フレキシブルな樹脂フィルムからなるフレキシブル基板４の先端部が補強シートで裏打ちされ、硬い板状体となっている。このため、例えば、前記ハウジング９に組み付けたフレキシブル基板４を前記ハウジング９の開口部に沿って図１（Ｂ）中の左方側に引き回すと、前記フレキシブル基板４の先端部が、その最先端を支点として回動し、コンタクト１１の端部１９から離れ、接触不良を生じるおそれがある。
一方、前記バックロック式コネクタにおいても、前記ハウジング２０に組み付けたＦＰＣ４０を前記ハウジング２０の開口部に沿って左方側に引き回すと、前記ＦＰＣ４０の先端部が、その最先端を支点として回動し、接触子１０の接触部１６から離れ、接触不良を生じるおそれがある。
【０００４】
本発明は、前記問題点に鑑み、ハウジングに組み付けたＦＰＣを上下のいずれの方向に引き回しても、接触不良が生じにくいコネクタを提供することを課題とする。
【課題を解決するための手段】
【０００５】
本発明にかかるコネクタは、前記課題を解決すべく、折れ曲がらないように補強シートで補強され、かつ、ハウジング内に挿入したフレキシブルプリント基板の一端部を、前記ハウジング内に保持した接触子の受動接点と能動接点とで挟持し、前記フレキシブルプリント基板の一端部に設けた接続パッドを前記接触子に電気接続するコネクタであって、
前記フレキシブルプリント基板の一端部を挿入するハウジングの開口部の上下縁部のうち、前記能動接点に対応する縁部を、前記受動接点に対応する縁部よりも外方に迫り出すように突設した構成としてある。
【発明の効果】
【０００６】
本発明によれば、例えば、ＦＰＣを受動接点側に引き上げた場合には、ハウジングに挿入した前記ＦＰＣの一端部が硬い板状体であるので、その最先端を支点として傾斜する。このため、ＦＰＣの一端部上面がハウジングの上方縁部に当接しても、前記ＦＰＣの一端部上面に設けた接続パッドが受動接点により強く圧接し、接点圧を確保できるので、接触信頼性が低下することはない。逆に、ＦＰＣを能動接点側に引き下げた場合には、受動接点に対応する縁部よりも外方に迫り出している能動接点に対応する縁部が、ＦＰＣのハウジング内に挿入されたＦＰＣの先端部を強く位置規制し、前述のように傾斜することがない。このため、ＦＰＣの一端部の下面に設けた接続パッドが能動接点により強く圧接するだけでなく、ＦＰＣの一端部の上面に設けた接続パッドが受動接点から離れることがないので、接点圧が著しく低下せず、接触信頼性が低下しない。したがって、本発明によれば、ＦＰＣが上下に引き回されても、その先端部が接触子の受動接点および能動接点の少なくともいずれか一方に所定の接点圧で接触するので、高い接触信頼性を確保できる。
また、ＦＰＣの一端部の上下面のうち、いずれの面に接続パッドを設けたＦＰＣ（図示せず）であっても、所定の接点圧で接続でき、接続の自由度が大きい汎用性に優れたコネクタが得られる。
特に、接触子の能動接点および受動接点が弾性変形可能であり、かつ、前記能動接点が受動接点側に付勢されているとき、例えば、ＦＰＣを受動接点側に引き上げた場合には、ハウジングに挿入した前記ＦＰＣの一端部が硬い板状体であるので、その最先端を支点として傾斜する。このため、ＦＰＣの一端部上面がハウジングの上方縁部に当接しても、前記ＦＰＣの一端部上面に設けた接続パッドが受動接点により強く圧接するとともに、前記ＦＰＣの一端部下面に設けた接続パッドが能動接点に所定の接点圧力で接触し続け、接触信頼性が低下することはない。逆に、ＦＰＣを能動接点側に引き下げた場合には、受動接点に対応する縁部よりも外方に迫り出している能動接点に対応する縁部が、ＦＰＣのハウジング内に挿入されたＦＰＣの先端部を強く位置規制し、前述のように傾斜することがない。このため、ＦＰＣの一端部の下面に設けた接続パッドが能動接点により強く圧接するだけでなく、ＦＰＣの一端部の上面に設けた接続パッドが受動接点から離れず、接点圧が著しく低下することがないので、接触信頼性が低下しない。したがって、ＦＰＣが上下に引き回されても、能動接点および受動接点の両方がＦＰＣの上下面に常に所定の接点圧で接触しているので、より一層優れた接触信頼性，汎用性を有するコネクタが得られる。
さらに、一方の縁部が他方の縁部よりも迫り出しているので、ＦＰＣの一端部をハウジング内に挿入する際の位置決めが容易となり、作業性がより一層向上する。
【０００７】
本発明にかかる実施形態としては、ハウジング内の受動接点を上方側に配置するとともに、能動接点を前記受動接点に対向するように下方側に配置する一方、ハウジングの開口部の下方縁部を、上方縁部よりも外方に迫り出すように突設しておいてもよい。
本実施形態によれば、前述と同様な効果が得られる。特に、斜め上方からＦＰＣの一端部をハウジング内に挿入する場合に、下方縁部に当接させて位置決めした後、ハウジング内に挿入でき、作業性がより一層向上する。
【０００８】
本発明にかかる他の実施形態としては、ハウジング内の受動接点を下方側に配置するとともに、能動接点を前記受動接点に対向するように上方側に配置する一方、ハウジングの開口部の上方縁部を、下方縁部よりも外方に迫り出すように突設しておいてもよい。
本実施形態によれば、前述と同様な効果が得られる。特に、斜め下方からＦＰＣの一端部をハウジング内に挿入する場合に、上方縁部に当接させて位置決めした後、ハウジング内に挿入でき、作業性がより一層向上するという効果がある。
【発明を実施するための最良の形態】
【０００９】
本発明にかかるコネクタの実施形態を図１ないし図１７の添付図面に従って説明する。
第１実施形態は、図１ないし図１５に示すように、中継用コネクタ１０に適用した場合であり、ハウジング２０と、第１，第２接触子３０，４０と、仮止め金具５０と、操作レバー６０と、第１，第２ＦＰＣ７０，８０と、から構成されている。
【００１０】
ハウジング２０は、図４に示すように、ハウジング本体２１の対向する正面および背面に相互に連通する開口部２１ａ，２１ｂをそれぞれ形成してあるとともに、対向する両側面から腕部２２，２２を平行にそれぞれ延在してある。そして、図４Ｂに示すように、前記ハウジング本体２１の背面側のうち、下方縁部から延在した受け部２３に、後述する第１，第２接触子３０，４０を圧入するための圧入溝２４，２５を所定のピッチで交互に設けてある。また、両端に位置する前記圧入溝２４，２４の外側には、仮止め金具５０を圧入するための圧入溝２６，２６をそれぞれ形成してある。そして、前記腕部２２は、その内向面の上段部にテーパ面２２ａおよび軸受け部２２ｂを形成してある。さらに、前記内向面の下段部のうち、前記テーパ面２２ａの直下に第１凹部２２ｃを形成してあるとともに、前記軸受け部２２ｂの直下に第２凹部２２ｄある。ついで、前記軸受け部２２ｂおよび第２凹部２２ｄの奥側には、第３凹部２２ｅを形成してある。
【００１１】
一方、図４Ａに示すように、前記ハウジング２０の正面側の開口部２１ａから前記圧入溝２４，２５，２６の端部を目視可能である。また、前記ハウジング２０の正面側の両側縁部から上段部２７および下段部２８を側方にそれぞれ突設することにより、後述する第１ＦＰＣ７０を挿入できるスリット２１ｃが形成されている。ただし、前記上段部２７よりも前記下段部２８が外方に迫り出している。なお、前記開口部２１ａの奥側には、図３および図１３Ｂに示すように、挿入した第１ＦＰＣ７０の先端部が当接する位置決め部２１ｄが形成されている。
【００１２】
第１接触子３０は、図５に示すように、正面略Ｈ字形状を有する導電性板バネ材からなるものである。すなわち、連結部３１の上端部から両側方に上辺部３２を延在してある一方、その下端部から両側方に下辺部３３を延在してある。そして、前記上辺部３２の一端側に係合爪３２ａを形成してある一方、他端側に支点部３２ｂを設けてある。また、前記下辺部３３の一端側には第１能動接点３３ａを設けてある一方、他端側には第２能動接点３３ｂを設けてある。さらに、前記上辺部３２の下辺縁部うち、前記連結部３１の上端部近傍から受動接点３４ａが前記第１能動接点３３ａに対向するように延在しているとともに、係止用突起３４ｂが突設されている。そして、前記支点部３２ｂの近傍には圧入用突起３４ｃが突き出し加工で形成されている。
【００１３】
そして、前記第１接触子３０は、図２Ｃに示すように、前記ハウジング２０に設けた圧入溝２４に開口部２１ａ側から圧入することにより、係止用突起３４ｂがハウジングの内部に係止するとともに、前記係合爪３２ａが前記開口部２１ａの上方縁部に係合して抜け止めされる。このとき、前記第１接触子３０の下辺部３３は連結部３１に吊り下げられ、ハウジング２０に接触していない。
【００１４】
第２接触子４０は、図６に示すように、正面略Ｈ字形状を有する導電性板バネ材からなるものである。すなわち、連結部４１の上端部から両側方に上辺部４２を延在してある一方、その下端部から両側方に下辺部４３を延在してある。前記上辺部４２の一端側に係止爪４２ａを形成してある一方、他端側に係合爪４２ｂおよび支点部４２ｃを設けてある。また、前記下辺部４３の一端側には第１能動接点４３ａを設けてある一方、他端側には第２能動接点４３ｂを設けてある。さらに、前記上辺部４２の下辺縁部うち、前記連結部４１の上端部近傍から受動接点４４ａが前記第１能動接点４３ａに対向するように延在しているとともに、前記受動接点４４ａの基部に係止用突起４４ｂが突設されている。そして、前記上辺部４２の前記連結部４１の近傍に圧入用突起４４ｃが突き出し加工で形成されている。
【００１５】
そして、前記第２接触子４０は、図２Ｂに示すように、前記ハウジング２０に設けた圧入溝２５に開口部２１ｂから圧入することにより、係止爪４２ａおよび係止用突起４４ｂがハウジング２０の内部に係止するとともに、前記係合爪４２ｂが開口部２１ａの上方縁部に係合して抜け止めされる。このとき、前記第２接触子４０の下辺部４３は連結部４１に吊り下げられ、ハウジング２０に接触していない。
【００１６】
なお、図２Ｂ，２Ｃから明らかなように、前記ハウジング２０に前記第１，第２接触子３０，４０をそれぞれ組み込むことにより、第１接触子３０の受動接点３４ａおよび第１能動接点３３ａが、第２接触子４０の受動接点４４ａおよび第１能動接点４３ａよりもハウジング２０の奥側に位置する。このため、前記第１，第２接触子３０，４０は後述する第１ＦＰＣ７０にそれぞれ異なる位置で電気接続される。
同様に、第１接触子３０の第２能動接点３３ｂが、第２接触子４０の第２能動接点４３ｂよりもハウジング２０の奥側に位置する。このため、前記第１，第２接触子３０，４０は後述する第２ＦＰＣ８０にそれぞれ異なる位置で電気接続される。
【００１７】
仮止め金具５０は、図７に示すように、正面略Ｈ字形状を有する板バネ材からなるものである。すなわち、連結部５１の上端部から両側方に上辺部５２を延在してある一方、その下端部から両側方に下辺部５３を延在してある。前記上辺部５２の一端側に係止爪５２ａを形成してある一方、他端側に係合爪５２ｂを設けてある。また、前記下辺部５３の一端側には可動爪５３ａを設けてある一方、他端側には操作部５３ｂを設けてある。さらに、前記上辺部５２の下辺縁部うち、前記連結部５１の上端部近傍に係止用突起５４ａが突設されている。
【００１８】
そして、前記仮止め金具５０は、図１３Ｂに示すように、前記ハウジング２０に設けた圧入溝２６に圧入することにより、係止爪５２ａおよび係止用突起５４ａがハウジング２０の内部に係止するとともに、前記係合爪５２ｂが開口部２１ｂの上方縁部に係合して抜け止めされる。このとき、前記仮止め金具５０の下辺部５３は連結部５１に吊り下げられ、ハウジング２０に接触していない。
【００１９】
操作レバー６０は、図８に示すように、レバー本体６１の両側端部から延在部６２，６２をそれぞれ延在してある。前記レバー本体６１には、所定のピッチでスリット６３，６４が交互に並設されている。前記スリット６３，６４内には、前記第１，第２接触子３０，４０の支点部３２ｂ，４２ｃに圧接する操作部６３ａ，６４ａ（図２Ｂ，２Ｃ）を架け渡すように形成してある。
【００２０】
一方、前記延在部６２の外向面には、回動軸６５が同一軸心上にそれぞれ突設されているとともに、仮止め用突部６６が同一軸心上にそれぞれ突設されている。また、前記延在部６２の内向面には、押圧部６７がそれぞれ突設され、前記押圧部６７の外周面には圧接用リブ６７ａ（図８Ｃ）がそれぞれ形成されている。さらに、前記延在部６２の外周縁部には、係合爪部６８がそれぞれ突設されている。
【００２１】
そして、前記操作レバー６０は、前記回動軸６５を前記ハウジング２０のテーパ面２２ａに沿って押し込み、前記腕部２２を弾性変形させることにより、前記回動軸６５を軸受け部２２ｂに嵌合するとともに、前記仮止め用突部６６を前記ハウジング２０の第１凹部２２ｃに嵌合する。
【００２２】
したがって、図１１および図１２に示すように、操作レバー６０を倒すことにより、回動軸６５を中心とし、仮止め用突部６６が第１，第２，第３凹部２２ｃ，２２ｄ，２２ｅに順次、係合するとともに、係合爪部６８がハウジング２０の第１凹部２２ｃに係合することにより、ロック状態となる。
【００２３】
第１ＦＰＣ７０は、図９に示すように、前記ハウジング２０への組み付け作業を容易にするため、フレキシブルな樹脂フィルムの一端部の下面に補強シート７１を裏打し、折れ曲がらない先端部７２を形成してある。また、前記先端部７２の上面には２種類の接続パッド７３，７４を所定のピッチで千鳥状に交互に設けてある。さらに、前記第１ＦＰＣは、その先端部７２の両側に仮止め用切り欠き部７５をそれぞれ形成してある。
【００２４】
第２ＦＰＣ８０は、図１０に示すように、前記ハウジング２０への組み付け作業を容易にするため、フレキシブルな樹脂フィルムの一端部の上面に補強シート８１を裏打し、折れ曲がらない先端部８２を形成してある。また、前記先端部８２の下面には２種類の接続パッド８３，８４を所定のピッチで千鳥状に設けてある。
【００２５】
次に、前述の構成部品からなる中継用コンタクト１０に第１，第２ＦＰＣ７０，８０を接続する方法について説明する。
まず、図１３に示すように、操作レバー６０の仮止め用突部６６が第１凹部２２ｃに係合しているとともに、操作部６３ａ，６４ａが第１，第２接触子３０，４０の支点部４２ｃ，３２ｂに圧接することにより、ガタツキなく支持されている。
【００２６】
ついで、図１４に示すように、ハウジング２０の開口部２１ａおよびスリット２１ｃから第１ＦＰＣ７０の先端部７２を挿入し、ハウジング２０内の位置決め部２１ｄに当接させる。そして、前記操作レバー６０を略垂直に引き起こすと、回動軸部６５を支点に前記操作レバー６０が回動し、仮止め用突部６６が第２凹部２２ｄに係合するとともに、前記操作レバー６０の押圧部６７が仮止め金具５０の操作部５３ｂを押し下げる。このため、仮止め金具５０の下辺部５３が連結部５１の下端部を支点に回動し、可動爪５３ａが第１ＦＰＣ７０の切り欠き部７５に係止することにより、第１ＦＰＣ７０が仮止めされる。このとき、操作レバー６０の仮止め用突部６６が第２凹部２２ｄに係合しているので、操作レバー６０が自動復帰せず、第１ＦＰＣ７０が脱落することもない。
【００２７】
ついで、図１５に示すように、第２ＦＰＣ８０をハウジング２０の開口部２１ｂから挿入した後、操作レバー６０を完全に倒すと、仮止め用突部６６が第３凹部２２ｅに嵌合するとともに、係合爪部６８が第１凹部２２ｃに係合する。このため、図２Ｂ，２Ｃに示すように、操作レバー６０のレバー本体６１が第２ＦＰＣ８０を介して第１，第２接触子３０，４０の第２能動接点３３ｂ，４３ｂを押し下げる。この結果、第２ＦＰＣ８０の接続パッド８３，８４と第１，第２接触子３０，４０の第２能動接点３３ｂ，４３ｂとがそれぞれ電気接続する。さらに、第１，第２接触子３０，４０の下辺部３３，４３が連結部３１，４１の下端部を支点としてそれぞれ回動し、第１接触子３０の受動接点３４ａと第１能動接点３３ａとが第１ＦＰＣ７０の接続パッド７３を挟持して電気接続する。同様に、第２接触子４０の受動接点４４ａと第１能動接点４３ａとが第１ＦＰＣ７０の接続パッド７４を挟持して電気接続し、接続作業が完了する。
【００２８】
本実施形態によれば、ハウジング２０に第１ＦＰＣ７０を仮止めした後、ハウジング２０に第２ＦＰＣ８０を組み付けて電気接続でき、ハウジング２０に第１，第２ＦＰＣ７０，８０を同時に位置決めする必要がない。このため、第１，第２ＦＰＣ７０，８０の接続作業が容易となり、作業性が向上するという利点がある。
【００２９】
また、本実施形態よれば、図２Ｂ，２Ｃに示すように、第１ＦＰＣ７０をハウジング２０の上段部２７に沿って引き上げた場合には、前記第１ＦＰＣ７０のハウジング２０に挿入した先端部７２が硬い板状体であり、ハウジング２０の位置決め部２１ｄを支点として傾斜し、開口部２１ａの上方縁部に当接する。しかし、第１ＦＰＣ７０の接続パッド７３，７４が第１，第２接触子３０，４０の受動接点３４ａ，３４ａにより強く圧接するので、接触信頼性が低下することはない。また、第１，第２接触子３０，４０の第１能動接点３３ａ，４３ａは上方に付勢されているので、著しく接点圧が低下することはない。
【００３０】
一方、第１ＦＰＣ７０をハウジング２０の下段部２８に沿って引き下げた場合には、ハウジング２０の下段部２８が上段部２７よりも迫り出している。このため、第１ＦＰＣ７０のハウジング２０内に挿入された先端部７２が強く位置規制され、前述のように傾斜することがない。この結果、第１ＦＰＣ７０の接続パッド７３，７４に対する第１，第２接触子３０，４０の受動接点３３ａ，４３ａおよび第１能動接点３３ａ，４３ａの接点圧がそれぞれ著しく低下することがなく、接触信頼性が低下しない。特に、第１，第２接触子３０，４０の第１能動接点３３ａ，４３ａは上方に付勢されているので、著しい接点圧の低下を防止できる。さらに、受動接点３４ａ，４４ａは若干の弾性変形が可能であるので、接触信頼性が著しく低下することはない。
【００３１】
このため、本実施形態よれば、第１ＦＰＣ７０が上下に引き回されても、その接点パッド７３，７４が第１，第２接触子３０，４０の受動接点３３ａ，４３ａおよび第１能動接点３４ａ，４４ａに接触している。このため、先端部の下面に接続パッドを設けたＦＰＣ（図示せず）を接続しても、接触信頼性を低下させることがなく、接続の自由度が大きい汎用性に優れた中継コネクタ１０が得られる。また、下段部２８が上段部２７よりも迫り出しているので、第１ＦＰＣ７０をハウジング２０に挿入する際の位置決めが容易となり、接続作業性がより一層向上するという利点がある。
【００３２】
第２実施形態は、図１６および図１７に示すように、プリント基板に実装できる、いわゆるバックロック式コネクタ１１に適用した場合である。バックロック式コネクタ１１とは、ハウジングにおけるＦＰＣの挿入位置と操作レバーの取付位置とが反対側に位置しているコネクタをいう。
【００３３】
本実施形態にかかるハウジング２０は、図１７Ｂに示すように、ＦＰＣ（図示せず）を挿入する開口部２１ａの両側縁部に上段部２７と下段部２７とが突設されている。特に、前記上段部２７は前記下段部２８よりも外方に迫り出した位置にあり、第１実施形態と同様、ＦＰＣの上下方向の引き回しによる不具合を防止できる。
【００３４】
また、接触子９０は、正面略Ｈ字形状を有する導電性板バネ材からなるものである。すなわち、連結部９１の上端部から両側方に上辺部９２を延在してある一方、その下端部から両側方に下辺部９３を延在してある。前記上辺部９２の一端側に能動接点９２ａを形成してある一方、他端側に操作部９２ｂを設けてある。また、前記下辺部９３の一端側には係止爪９３ａを設けてある一方、他端側には支点部９３ｂを設けてある。さらに、前記下辺部９３の上辺縁部うち、前記連結部９１の下端部近傍から受動接点９４が前記能動接点９２ａに対向するように延在している。
【００３５】
そして、前記接触子９０は、前記ハウジング２０に設けた圧入溝２５に圧入することにより、係止爪９３ａがハウジング２０内に係止して抜け止めされる。このとき、前記接触子９０の上辺部９２は連結部９１に支持され、ハウジング２０に接触していない。このため、前記ハウジング２０に取り付けた操作レバー６０を回動することにより、前記上辺部９２の操作部９２ｂを押圧部６９が押し上げ、連結部９１の上端部を支点として前記上辺部９２が回動し、図示しないＦＰＣの接続パッド部を受動接点９４と能動接点９２ａとで挟持して電気接続する。他は、前述の第１実施形態とほぼ同様であるので、同一部分に同一番号を附して説明を省略する。
【産業上の利用可能性】
【００３６】
本発明にかかるコネクタは、前述の中継用コネクタおよびバックロックタイプのコネクタ以外のコネクタにも適用できる。
【図面の簡単な説明】
【００３７】
【図１】本発明に係るコネクタの第１実施形態を示す斜視図である。
【図２】図２Ａ，図２Ｂおよび図２Ｃは、図１で示した第１実施形態の平面図、Ｂ−Ｂ線断面図およびＣ−Ｃ線断面図である。
【図３】図２Ｃの部分拡大図である。
【図４】図４Ａおよび図４Ｂはハウジング単体を異なる角度から視た斜視図である。
【図５】図５Ａおよび図５Ｂは第１接触子を示す斜視図である。
【図６】図６Ａおよび図６Ｂは第２接触子を示す斜視図である。
【図７】図７Ａおよび図７Ｂは仮止め金具を示す斜視図および正面図である。
【図８】図８Ａ，図８Ｂおよび図８Ｃは操作レバーを異なる角度から視た斜視図である。
【図９】図９Ａ，図９Ｂおよび図９Ｃはバックロック形式で接続されるＦＰＣを示す斜視図、平面図および正面図である。
【図１０】図１０Ａ，図１０Ｂ，図１０Ｃおよび図１０Ｄはフロントロック形式で接続されるＦＰＣを示す裏面斜視図、表面斜視図、平面図および正面図である。
【図１１】図１１Ａ，図１１Ｂおよび図１１Ｃは第１実施形態にかかるアクチュエーターの操作方法を説明するための斜視図である。
【図１２】図１２Ａ，図１２Ｂおよび図１２Ｃは第１実施形態かかるアクチュエーターの操作方法を説明するための異なる角度から視た斜視図である。
【図１３】図１３Ａ，図１３Ｂおよび図１３Ｃは操作前を示す平面図、Ｂ−Ｂ線断面図およびＣ−Ｃ線断面図である。
【図１４】図１４Ａ，図１４Ｂおよび図１４Ｃは操作途中を示す平面図、Ｂ−Ｂ線断面図およびＣ−Ｃ線断面図である。
【図１５】図１５Ａ，図１５Ｂおよび図１５Ｃは操作途中を示す平面図、Ｂ−Ｂ線断面図およびＣ−Ｃ線断面図である。
【図１６】本発明に係るコネクタの第２実施形態を示す斜視図である。
【図１７】図１７Ａおよび図１７Ｂは、図１６で示した第２実施形態の平面図およびＢ−Ｂ線断面図である。
【符号の説明】
【００３８】
１０：中継用コネクタ
１１：バックロック式コネクタ
２０：ハウジング
２１：ハウジング本体
２１ａ，２１ｂ：開口部
２２：腕部
２２ａ：テーパ面
２２ｂ：軸受け部
２２ｃ，２２ｄ，２２ｅ：第１，第２，第３凹部
２３：受け部
２４，２５，２６：圧入溝
２７：上段部
２８：下段部
【００３９】
３０：第１接触子
３１：連結部
３２：上辺部
３２ａ：係合爪
３２ｂ：支点部
３３ａ：第１能動接点
３３ｂ：第２能動接点
３４ａ：受動接点
３４ｂ：係止用突起
【００４０】
４０：第２接触子
４１：連結部
４２：上辺部
４２ａ：係止爪
４２ｂ：係合爪
４３：下辺部
４３ａ：第１能動接点
４３ｂ：第２能動接点
４４ａ：受動接点
４４ｂ：係止用突起
４４ｃ：圧入用突起
【００４１】
５０：仮止め金具
５１：連結部
５２：上辺部
５２ａ：係止爪
５２ｂ：係合爪
５３：下辺部
５３ａ：可動爪
５３ｂ：操作部
５４ａ：係止用突起
【００４２】
６０：操作レバー
６１：レバー本体
６２：延在部
６３，６４：スリット
６５：回動軸
６６：仮止め用突部
６７：押圧部
６７ａ：圧接用リブ
６８：係合爪部
【００４３】
７０：第１ＦＰＣ
７１：補強シート
７２：先端部
７３，７４：接続パッド
７５：仮止め用切り欠き部
【００４４】
８０：第２ＦＰＣ
８１：補強シート
８２：先端部
８３，８４：接続パッド
【００４５】
９０：接触子
９１：連結部
９２：上辺部
９２ａ：能動接点
９２ｂ：操作部
９３：下辺部
９３ａ：係止爪
９３ｂ：支点部
９４：受動接点
【図１】
2006210051.tif 000003
【図２】
2006210051.tif 000004
【図３】
2006210051.tif 000005
【図４】
2006210051.tif 000006
【図５】
2006210051.tif 000007
【図６】
2006210051.tif 000008
【図７】
2006210051.tif 000009
【図８】
2006210051.tif 000010
【図９】
2006210051.tif 000011
【図１０】
2006210051.tif 000012
【図１１】
2006210051.tif 000013
【図１２】
2006210051.tif 000014
【図１３】
2006210051.tif 000015
【図１４】
2006210051.tif 000016
【図１５】
2006210051.tif 000017
【図１６】
2006210051.tif 000018
【図１７】
2006210051.tif 000019